(57)【要約】      （修正有）【課題】回転体の接触領域に結露が発生することを抑制することができるエレベータ制動装置を提供する。【解決手段】エレベータ制動装置は、ロープ１２が掛けられる綱車と一体となって回転する回転体と、回転体を制動するために回転体に接する制動体５と、回転体に向けて送気する送気部７と、を備え、回転体は、制動体５に接触される接触領域を備え、送気部７は、接触領域に向けて送気する。【選択図】図２
2019099353.tif 000002
【特許請求の範囲】
【請求項１】
ロープが掛けられる綱車と一体となって回転する回転体と、
前記回転体を制動するために前記回転体に接する制動体と、
前記回転体に向けて送気する送気部と、を備え、
前記回転体は、前記制動体に接触される接触領域を備え、
前記送気部は、前記接触領域に向けて送気する、エレベータ制動装置。
【請求項２】
前記回転体は、円板状に形成され、
前記制動体は、前記回転体の厚み方向で前記回転体を挟む第１及び第２制動部を備え、
前記送気部は、気体を吹き出す吹出口を備え、
前記吹出口は、前記回転体の周面と対面し、
前記吹出口の前記厚み方向の寸法は、前記回転体の前記周面の前記厚み方向の寸法よりも、大きい、請求項１に記載のエレベータ制動装置。
【請求項３】
前記制動体は、前記回転体に接する制動部を備え、
前記送気部は、前記接触領域及び前記制動部に向けて送気する、請求項１又は２に記載のエレベータ制動装置。
【請求項４】
ロープが掛けられる綱車と、
前記請求項１〜３の何れか１項に記載のエレベータ制動装置と、を備えるエレベータ。
【発明の詳細な説明】
【技術分野】
【０００１】
本発明は、エレベータ制動装置及びエレベータに関する。
【背景技術】
【０００２】
従来、例えば、エレベータ制動装置は、ロープが掛けられる綱車と一体となって回転する回転体と、回転体を制動するために回転体に接する制動体とを備えている（例えば、特許文献１）。そして、回転体は、制動体によって制動されるために、制動体に接触される接触領域を備えている。
【０００３】
ところで、例えば、エレベータ制動装置が設置された環境に起因して、回転体の表面に結露が発生することがある。そして、回転体の接触領域に発生した結露によって、仮に、回転体の接触領域が腐食した場合には、制動体による回転体の制動に影響が生じる。
【０００４】
なお、特許文献１に係るエレベータ制動装置は、回転体を冷却するための冷却ファンを備えている。しかしながら、斯かるエレベータ制動装置においては、冷却ファンが、回転体の接触領域と異なる部分に送風しているため、回転体の接触領域に結露が発生するおそれがある。
【先行技術文献】
【特許文献】
【０００５】
【特許文献１】特開２０１４−２１８３４４号公報
【発明の概要】
【発明が解決しようとする課題】
【０００６】
そこで、課題は、回転体の接触領域に結露が発生することを抑制することができるエレベータ制動装置及びエレベータを提供することである。
【課題を解決するための手段】
【０００７】
エレベータ制動装置は、ロープが掛けられる綱車と一体となって回転する回転体と、前記回転体を制動するために前記回転体に接する制動体と、前記回転体に向けて送気する送気部と、を備え、前記回転体は、前記制動体に接触される接触領域を備え、前記送気部は、前記接触領域に向けて送気する。
【０００８】
また、エレベータ制動装置においては、前記回転体は、円板状に形成され、前記制動体は、前記回転体の厚み方向で前記回転体を挟む第１及び第２制動部を備え、前記送気部は、気体を吹き出す吹出口を備え、前記吹出口は、前記回転体の周面と対面し、前記吹出口の前記厚み方向の寸法は、前記回転体の前記周面の前記厚み方向の寸法よりも、大きい、という構成でもよい。
【０００９】
また、エレベータ制動装置においては、前記制動体は、前記回転体に接する制動部を備え、前記送気部は、前記接触領域及び前記制動部に向けて送気する、という構成でもよい。
【００１０】
また、エレベータは、ロープが掛けられる綱車と、前記のエレベータ制動装置と、を備える。
【発明の効果】
【００１１】
以上の如く、エレベータ制動装置及びエレベータは、回転体の接触領域に結露が発生することを抑制することができる、という優れた効果を奏する。
【図面の簡単な説明】
【００１２】
【図１】図１は、一実施形態に係るエレベータの全体概要図である。
【図２】図２は、同実施形態に係る巻上装置の全体概要図である。
【図３】図３は、同実施形態に係る巻上装置のカバーを取り外した状態を示す全体概要図である。
【図４】図４は、図３のIV−IV線の概要断面図である。
【図５】図５は、図３のＶ−Ｖ線の概要断面図である。
【図６】図６は、他の実施形態に係る巻上装置の要部概要図である。
【図７】図７は、さらに他の実施形態に係る巻上装置の要部概要図である。
【発明を実施するための形態】
【００１３】
以下、エレベータにおける一実施形態について、図１〜図５を参照しながら説明する。なお、各図（図６以降も同様）において、図面の寸法比と実際の寸法比とは、必ずしも一致しておらず、また、各図面の間での寸法比も、必ずしも一致していない。
【００１４】
図１に示すように、本実施形態に係るエレベータ１は、ユーザが乗るためのかご１１と、かご１１のシーブ１１ａに巻き掛けられるロープ１２と、ロープ１２が巻き掛けられるシーブ１３ａを有する釣合錘１３とを備えている。なお、ロープ１２の端部１２ａ，１２ｂは、それぞれ昇降路２０の上部に固定されている。
【００１５】
エレベータ１は、ロープ１２を駆動してかご１１及び釣合錘１３を昇降させる巻上機２と、昇降路２０の上部に吊られる吊車１４，１５とを備えている。なお、第１の吊車１４は、ロープ１２のうち、かご１１と巻上機２との間の部分に、巻き掛けられおり、第２の吊車１５は、ロープ１２のうち、釣合錘１３と巻上機２との間の部分に、巻き掛けられている。また、エレベータ１は、装置全体を制御する制御部１６を備えている。
【００１６】
巻上機２は、昇降路２０の内部であって、昇降路２０の下部に配置されている。即ち、本実施形態においては、エレベータ１は、機械室無しタイプのエレベータである。なお、巻上機２は、例えば、昇降路２０の上部に配置されている、という構成でもよい。また、例えば、巻上機２は、昇降路２０の外部（昇降路２０よりも上部の機械室の内部）に配置されており、エレベータ１は、機械室有りタイプのエレベータである、という構成でもよい。
【００１７】
図２〜図４に示すように、巻上機２は、ロープ１２が外周に巻き掛けられる回転可能な綱車２ａと、綱車２ａに回転駆動を与える駆動源（図示していない）とを備えている。また、巻上機２は、綱車２ａを制動するためのエレベータ制動装置（以下、単に「制動装置」ともいう）３を備えている。
【００１８】
制動装置３は、綱車２ａと一体となって回転する回転体４と、回転体４を制動するために回転体４に接する制動体５と、例えば作業員の安全を確保するため及び油の飛散を防止するために、綱車２ａ及び回転体４を覆うカバー６とを備えている。また、制動装置３は、回転体４に向けて送気する送気部７を備えている。なお、第４の方向Ｄ４（図３参照）は、綱車２ａ及び回転体４の回転方向Ｄ４である。
【００１９】
回転体４は、板状に形成されている。具体的には、回転体４は、円板状に形成されている。そして、回転体４は、綱車２ａから、綱車２ａの径方向の外方に向けて突出している。なお、回転体４は、綱車２ａと直接的に連結されている構成でもよく、例えば、軸等を介在させて、綱車２ａと間接的に連結されている構成でもよい。
【００２０】
また、回転体４は、平面状に形成される第１平面４１と、平面状に形成される第２平面４２と、第１平面４１と第２平面４２との間に配置され、第１平面４１と第２平面４２とに連接される曲面状の周面４３とを備えている。回転体４を形成する材質は、特に限定されないが、例えば、鋼鉄やステンレス鋼とすることができる。
【００２１】
制動体５は、回転体４に接する制動部５１，５２と、制動部５１，５２を支持する本体部５３と、制動部５１，５２を動作させる動作部５４とを備えている。本実施形態においては、制動体５は、二つ備えられている。なお、制動体５は、例えば、一つ又は三つ以上備えられている、という構成でもよい。制動部５１，５２を形成する材質は、特に限定されないが、例えば、樹脂系摩擦材（例えば、フェノール樹脂等）とすることができる。
【００２２】
制動部５１，５２は、回転体４の厚み方向Ｄ２で回転体４を挟むように、一対備えられている。したがって、回転体４は、第１及び第２平面４１，４２に、それぞれ制動体５に接触される接触領域４１ａ，４２ａを備えている。具体的には、回転体４の第１平面４１は、第１制動部５１に接触される第１接触領域４１ａを備えており、回転体４の第２平面４２は、第２制動部５２に接触される第２接触領域４２ａを備えている。
【００２３】
また、制動部５１，５２は、回転体４の外側部（径方向の外側の部分）を挟むように、配置されている。これにより、接触領域４１ａ，４２ａは、第１及び第２平面４１，４２の外側部に配置されることになる。
【００２４】
制動部５１，５２は、動作部５４によって、回転体４を制動するために回転体４に接触する接触位置と、回転体４から離れる待機位置との間で、移動する。制動部５１，５２が待機位置に位置している際に、制動部５１，５２と回転体４との間の隙間は、特に限定されないが、例えば、０．０１〜２．０ｍｍとしてもよい。
【００２５】
通常、制動部５１，５２は、綱車２ａ及び回転体４の回転が停止した際に、かご１１の停止状態を保持するために、接触位置に移動する。なお、かご１１の移動が異常な場合に、制動部５１，５２は、綱車２ａ及び回転体４が回転している際に、綱車２ａ及び回転体４の回転を停止するために、接触位置に移動することもある。本実施形態に係る制動装置３は、所謂、ディスク式制動装置（ディスクブレーキ）である。
【００２６】
動作部５４は、バネ５４ａと電磁コイル５４ｂとを備えている。そして、電磁コイル５４ｂへの通電が実施されている際に、制動部５１，５２は、電磁コイル５４ｂの電磁力によって、待機位置に位置する。一方、電磁コイル５４ｂへの通電が停止されている際に、制動部５１，５２は、バネ５４ａの弾性復元力によって、接触位置に位置する。なお、動作部５４は、制動部５１，５２を動作可能な構成であれば、斯かる構成に限られない。
【００２７】
カバー６は、綱車２ａを覆う綱車カバー６１と、回転体４を覆う第１及び第２回転体カバー６２，６３とを備えている。第１及び第２回転体カバー６２，６３は、回転体４の下方側の一部が開放するように、回転体４を覆っている。そして、制動体５は、回転体４のうち、第１及び第２回転体カバー６２，６３が開放する部分に、配置されている。なお、回転体カバー６２，６３は、特に限定されないが、例えば、第１接触領域４１ａの７０％以上を覆っていてもよい。
【００２８】
第１回転体カバー６２と回転体４との間の隙間は、特に限定されないが、例えば、１〜１０ｍｍとしてもよい。また、第２回転体カバー６３と回転体４との間の隙間は、特に限定されないが、例えば、５〜３０ｍｍとしてもよい。なお、送気部７から送られた気体は、回転体カバー６２，６３と回転体４との間に、流れ難くなっている。
【００２９】
送気部７は、回転体４よりも下方側に配置されており、上方に向けて（図２の実線矢印参照）送気している。そして、送気部７は、接触領域４１ａ，４２ａ及び制動部５１，５２に向けて送気している。具体的には、送気部７は、第１及び第２回転カバー６２，６３から開放されている接触領域４１ａ，４２ａ及び制動部５１，５２に向けて送気している。これにより、送気部７によって送られた気体は、接触領域４１ａ，４２ａ及び制動部５１，５２に当たっている。
【００３０】
本実施形態においては、送気部７は、二つ備えられている。なお、送気部７は、例えば、一つ又は三つ以上備えられている、という構成でもよい。送気部７は、送気する指示が入力される入力部７１を備えている。例えば、入力部７１は、手動式のオンオフ切替スイッチとすることができる。本実施形形態においては、入力部７１は、二つの送気部７に対して共通の入力部７１となっている。なお、入力部７１は、一つの送気部７に対して一つ備えられている、という構成でもよい。
【００３１】
図５に示すように、送気部７は、送気するための送気源７２と、送気源７２を収容する筐体７３とを備えている。また、筐体７３は、気体を吹き出す吹出口７３ａと、気体を吸い込む吸入口７３ｂとを備えている。そして、送気源７２が回転することにより、吸入口７３ｂから吸い込まれた空気が、吹出口７３ａから吹き出される。
【００３２】
本実施形態においては、送気部７は、送風機である、という構成である。具体的には、送気部７は、ファンである、という構成であるが、斯かる構成に限られず、例えば、ブロワである、という構成でもよい。
【００３３】
吹出口７３ａは、回転体４の周面４３、具体的には、外周面４３と対面している。そして、吹出口７３ａと回転体４の周面４３との間には、空間のみが存在しており（気体の流れを阻害するものが存在しておらず）、吹出口７３ａから吹き出された気体は、回転体４に直接当たることになる。また、吹出口７３ａの厚み方向Ｄ２の寸法Ｗ１は、回転体４の周面４３の厚み方向Ｄ２の寸法Ｗ２よりも、大きくなっている。
【００３４】
当該寸法Ｗ１，Ｗ２は、特に限定されないが、例えば、吹出口７３ａの厚み方向Ｄ２の寸法Ｗ１は、回転体４の周面４３の厚み方向Ｄ２の寸法Ｗ２の２〜１０倍としてもよい。また、例えば、回転体４の周面４３の厚み方向Ｄ２の寸法Ｗ２が１０ｍｍ〜２５ｍｍとしてもよく、それに対して、吹出口７３ａの厚み方向Ｄ２の寸法Ｗ１は、２０ｍｍ〜２５０ｍｍとしてもよい。
【００３５】
これにより、吹出口７３ａから吹き出された空気は、回転体４の第１平面４１及び第２平面４２（第１接触領域４１ａ及び第２接触領域４２ａ）に沿って流れたり、回転体４の第１平面４１及び第２平面４２に当たったりする。したがって、送気部７は、回転体４の両側にそれぞれ配置されている第１及び第２接触領域４１ａ，４２ａに向けて、同時に送気することができている。
【００３６】
ところで、図１のように、巻上機２が昇降路２０の内部で且つ下部に配置されている場合には、周辺の湿度が高いことがある。そして、綱車２ａ及び回転体４が回転している場合には、回転体４の表面付近の空気が滞留し難い一方で、綱車２ａ及び回転体４が停止している場合には、回転体４の表面付近の空気が滞留し易い。
【００３７】
そして、回転体４の表面付近の空気が滞留すると、回転体４に結露が発生し易くなる。さらに、回転体４に発生した結露によって、回転体４が腐食して、錆が発生することもある。しかも、それに加えて、綱車２ａ及び回転体４が回転することなく、制動部５１，５２が回転体４に接触する状態が、長い間（例えば、半日以上）続いた場合に、発生した錆によって、回転体４と制動部５１，５２とが固着されるという極端な状況が起きる可能性も否定できない。
【００３８】
そこで、送気部７が回転体４の接触領域４１ａ，４２ａ及び制動部５１，５２に向けて送気しているため、接触領域４１ａ，４２ａの付近で且つ制動部５１，５２の周りで、空気が滞留することを抑制することができる。したがって、制動部５１，５２の周りの回転体４に結露が発生することを抑制することができるため、回転体４と制動部５１，５２とが錆によって固着されるといった極端な状況が発生することを回避することができる。
【００３９】
なお、回転体カバー６２，６３が回転体４を覆っているため、回転体カバー６２，６２で覆われている回転体４の表面に、湿度の高い外気が到達することを抑制することができる。しかも、送気部７で送られた空気が、回転体カバー６２，６３まで流れて回転体カバー６２．６３の外側を流れることで、エアカーテンのような役割を果たすため、回転体カバー６２，６３及び回転体４間に、湿度の高い空気が侵入することを抑制することができる。
【００４０】
以上より、本実施形態に係るエレベータ１は、ロープ１２が掛けられる綱車２ａと、エレベータ制動装置３と、を備える。
【００４１】
そして、本実施形態に係るエレベータ制動装置３は、ロープ１２が掛けられる綱車２ａと一体となって回転する回転体４と、前記回転体４を制動するために前記回転体４に接する制動体５と、前記回転体４に向けて送気する送気部７と、を備え、前記回転体４は、前記制動体５に接触される接触領域４１ａ，４２ａを備え、前記送気部７は、前記接触領域４１ａ，４２ａに向けて送気する。
【００４２】
斯かる構成によれば、送気部７が、回転体４の接触領域４１ａ，４２ａに向けて送気するため、回転体４の接触領域４１ａ，４２ａの付近に大気が滞留することを抑制することができる。これにより、回転体４の接触領域４１ａ，４２ａに結露が発生することを抑制することができる。
【００４３】
また、本実施形態に係るエレベータ制動装置３においては、前記回転体４は、円板状に形成され、前記制動体５は、前記回転体４の厚み方向Ｄ２で前記回転体４を挟む第１及び第２制動部５１，５２を備え、前記送気部７は、気体を吹き出す吹出口７３ａを備え、前記吹出口７３ａは、前記回転体４の周面４３と対面し、前記吹出口７３ａの前記厚み方向Ｄ２の寸法Ｗ１は、前記回転体４の前記周面４３の前記厚み方向Ｄ２の寸法Ｗ２よりも、大きい、という構成である。
【００４４】
斯かる構成によれば、送気部７は、気体を吹き出す吹出口７３ａを備えており、吹出口７３ａは、回転体４の周面４３と対面している。そして、吹出口７３ａの厚み方向Ｄ２の寸法Ｗ１が、回転体４の周面４３の厚み方向Ｄ２の寸法Ｗ２よりも、大きいため、吹出口７３ａから吹き出した気体は、回転体４の両面４１，４２に向かって送られることになる。これにより、回転体４の両面４１，４２にそれぞれ配置されている接触領域４１ａ，４２ａに向けて同時に送気することができる。
【００４５】
また、本実施形態に係るエレベータ制動装置３においては、前記制動体５は、前記回転体４に接する制動部５１，５２を備え、前記送気部７は、前記接触領域４１ａ，４２ａ及び前記制動部５１，５２に向けて送気する、という構成である。
【００４６】
斯かる構成によれば、制動体５は、回転体４に接する制動部５１，５２を備えており、送気部７は、接触領域４１ａ，４２ａ及び制動部５１，５２に向けて送気している。これにより、接触領域４１ａ，４２ａの付近で且つ制動部５１，５２の周りで、大気が滞留することを抑制することができる。
【００４７】
なお、エレベータ１及びエレベータ制動装置３は、上記した実施形態の構成に限定されるものではなく、また、上記した作用効果に限定されるものではない。また、エレベータ１及びエレベータ制動装置３は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００４８】
（１）エレベータ制動装置３は、図６に示すように、送気部７によって送気された気体をガイドするガイド部６２ａを備えている、という構成でもよい。図６に係るガイド部６２ａは、送気部７によって送気された気体を制動部５１の周りに沿って（図６の実線矢印方向に）ガイドするように、形成されている。
【００４９】
図６に係るガイド部６２ａは、カバー６（具体的には、第１回転体カバー６２）から板状に突出して、形成されている。なお、ガイド部６２ａは、斯かる構成に限られない。そして、ガイド部６２ａは、制動部５１との間に空間を有するように、制動部５１と離れて配置されていると共に、制動部５１の周り（外周部）に沿って延びている。
【００５０】
（２）また、上記実施形態に係るエレベータ制動装置３においては、送気部７は、ファンである、という構成である。しかしながら、エレベータ制動装置３は、斯かる構成に限られない。例えば、送気部７は、図７に示すように、筒状部７４を備え、筒状部７４の吹出口７４ａから圧縮気体（例えば、圧縮空気）を吹き出す、という構成でもよい。
【００５１】
（３）また、上記実施形態に係るエレベータ制動装置３は、ディスク式制動装置（ディスクブレーキ）である、という構成である。しかしながら、エレベータ制動装置３は、斯かる構成に限られない。例えば、エレベータ制動装置３は、筒状の回転体４と、回転体４の外周面に接触する制動体５と、を備える、所謂、ドラム式制動装置（ドラムブレーキ）である、という構成でもよい。
【００５２】
（４）また、上記実施形態に係るエレベータ制動装置３においては、吹出口７３ａの厚み方向Ｄ２の寸法Ｗ１は、回転体４の周面４３の厚み方向Ｄ２の寸法Ｗ２よりも、大きい、という構成である。しかしながら、エレベータ制動装置３は、斯かる構成が好ましいものの、斯かる構成に限られない。例えば、吹出口７３ａの厚み方向Ｄ２の寸法Ｗ１は、回転体４の周面４３の厚み方向Ｄ２の寸法Ｗ２以下である、という構成でもよい。
【００５３】
（５）また、上記実施形態に係るエレベータ制動装置３においては、送気部７は、接触領域４１ａ，４２ａ及び制動部５１，５２に向けて送気する、という構成である。しかしながら、エレベータ制動装置３は、斯かる構成が好ましいものの、斯かる構成に限られない。例えば、送気部７は、接触領域４１ａ，４２ａに向けて送気する一方で、制動部５１，５２に向かう方向と異なる方向に向けて送気している、という構成でもよい。
【００５４】
（６）また、上記実施形態に係るエレベータ制動装置３においては、送気部７は、連続的に、送気する、という構成である。しかしながら、エレベータ制動装置３は、斯かる構成に限られない。例えば、回転体４が回転している場合には、回転体４の表面付近の空気が滞留し難い一方で、回転体４が停止している場合には、回転体４の表面付近の空気が滞留し易いことに鑑みて、送気部７は、回転体４が回転している際に、送気を停止し、回転体４が停止している際に、送気する、という構成でもよい。
【００５５】
（７）また、上記実施形態に係るエレベータ制動装置３においては、入力部７１は、手動式のオンオフ切替スイッチである、という構成である。しかしながら、エレベータ制動装置３は、斯かる構成に限られない。例えば、入力部７１は、外部からの信号を取得する信号取得部であり、入力部７１が信号を取得した際に、送気部７が送気する、という構成でもよい。斯かる構成の具体例を、以下に例示する。
【００５６】
（７−１）湿度が高いほど、回転体４に結露が発生し易いことに鑑みて、例えば、所定位置（例えば、建物の内部、昇降路２０の内部、回転体４の近傍等）の湿度を測定する湿度測定器が、設定値以上の湿度を検出した際に信号を出力し、入力部７１が当該信号を取得する、という構成でもよい。なお、湿度測定器が、測定した湿度情報を制御部１６に出力し、制御部１６が設定値以上の湿度を検出した際に信号を出力し、入力部７１が当該信号を取得する、という構成でもよい。
【００５７】
このように、入力部７１が、湿度情報に基づく信号を取得する、という構成でもよい。なお、湿度情報は、湿度測定器から出力される情報だけでなく、外部（気象庁等）から出力される情報でもよい。また、入力部７１が取得する当該信号は、入力部７１に直接的に送信されてもよく、また、制御部１６等を経由して、入力部７１に間接的に送信されてもよい。
【００５８】
（７−２）温度変化率が大きいほど、回転体４に結露が発生し易いことに鑑みて、例えば、所定位置（例えば、建物の内部、昇降路２０の内部、回転体４の近傍等）の温度を測定する温度測定器が、設定値以上の温度変化率を検出した際に信号を出力し、入力部７１が当該信号を取得する、という構成でもよい。なお、温度測定器が、測定した温度情報を制御部１６に出力し、制御部１６が設定値以上の温度変化率を検出した際に信号を出力し、入力部７１が当該信号を取得する、という構成でもよい。
【００５９】
このように、入力部７１が、温度情報に基づく信号を取得する、という構成でもよい。なお、温度変化率とは、単位時間当たりに変化した温度差のことである。また、入力部７１が取得する当該信号は、入力部７１に直接的に送信されてもよく、また、制御部１６等を経由して、入力部７１に間接的に送信されてもよい。
【００６０】
（７−３）例えば、外部（例えば、遠隔監視センター）から、必要に応じて、信号が出力され、入力部７１が当該信号を取得する、という構成でもよい。斯かる構成によれば、実際にエレベータ制動装置３が設置されている設置場所だけでなく、設置場所から離れた場所から送気部７の送気の開始及び停止を行うことができる。
【符号の説明】
【００６１】
１…エレベータ、２…巻上機、２ａ…綱車、３…エレベータ制動装置、４…回転体、５…制動体、６…カバー、７…送気部、１１…かご、１１ａ…シーブ、１２…ロープ、１２ａ…端部、１２ｂ…端部、１３…釣合錘、１３ａ…シーブ、１４…吊車、１５…吊車、１６…制御部、２０…昇降路、４１…第１平面、４１ａ…第１接触領域、４２…第２平面、４２ａ…第２接触領域、４３…周面、５１…第１制動部、５２…第２制動部、５３…本体部、５４…動作部、５４ａ…バネ、５４ｂ…電磁コイル、６１…綱車カバー、６２…第１回転体カバー、６２ａ…ガイド部、６３…第２回転体カバー、７１…入力部、７２…送気源、７３…筐体、７３ａ…吹出口、７３ｂ…吸入口、７４…筒状部、７４ａ…吹出口
【図１】
2019099353.tif 000003
【図２】
2019099353.tif 000004
【図３】
2019099353.tif 000005
【図４】
2019099353.tif 000006
【図５】
2019099353.tif 000007
【図６】
2019099353.tif 000008
【図７】
2019099353.tif 000009